(57)【要約】【課題】組み込んだＡＶ機器を冷却することができ、各ＡＶ機器を単位として又はこれらの組み合わせを単位として壁一体型に組込かつ組立可能である壁材を提供する。【解決手段】大画面薄型テレビの表示モジュール用の表示画面の窓部１１が設けられた前壁部１０と、表示モジュールを収容した筐体４を保持することが可能な保持部１６と、筐体４の後面部４ａに圧着された伝熱シート５に接触して冷却することが可能になっており、熱媒体が流通する流路を有する冷却ジャケット２０と、前壁部１０と対向して設けられた後壁部１２とを備え、前壁部１０及び後壁部１２が保持部１６及び冷却ジャケット２０を収容して、表示モジュールを組込可能になっている。【選択図】図８
2008208704.tif 000002
【特許請求の範囲】
【請求項１】
内部にＡＶ機器を保持する壁躯体と、
該壁躯体の内部に、前記ＡＶ機器に接触しており、熱媒体が流通する流路を有する冷却部と
を有することを特徴とする壁材。
【請求項２】
ＡＶ機器の表示部用又は操作部用の窓部が設けられた前壁部と、
ＡＶ機器を保持することが可能な保持部と、
前記ＡＶ機器に接触しており、熱媒体が流通する流路を有する冷却部と、
前記前壁部と対向して設けられた後壁部とを備え、
前記前壁部及び後壁部が前記保持部及び冷却部を収容していることを特徴とする壁材。
【請求項３】
前記冷却部は前記ＡＶ機器の一部、全部又は発熱部分に接触していることを特徴とする請求項１又は２に記載の壁材。
【請求項４】
前記ＡＶ機器は表示モジュールを備え、該表示モジュールが前記保持部に保持されており、
前記冷却部は前記表示モジュールの一部又は全部に接触していることを特徴とする請求項１又は２に記載の壁材。
【請求項５】
前記冷却部は前記前壁部と対向しており、該前壁部と略同じ大きさを有することを特徴とする請求項１又は２に記載の壁材。
【請求項６】
前記冷却部は前記表示モジュールの発熱部分に接触していることを特徴とする請求項４に記載の壁材。
【請求項７】
前記冷却部は、中空状をなし、該冷却部の一側部に前記熱媒体の流入孔及び流出孔が形成されており、
該流入孔から該流出孔に至る流通迷路が形成されていることを特徴とする請求項１から６までのいずれか一つに記載の壁材。
【請求項８】
前記冷却部は、中空状をなし、該冷却部の一側部に形成された前記熱媒体の流入孔と、該冷却部の一側部に対向する他側部に形成された流出孔とを有することを特徴とする請求項１から６までのいずれか一つに記載の壁材。
【請求項９】
前記表示モジュールは表示画面を一面に有する直方体状をなし、
前記冷却部は前記表示モジュールの反対側の他面に嵌合可能な凹部を有することを特徴とする請求項７又は８に記載の壁材。
【請求項１０】
前記冷却部は長手方向の一側部又は両側部にくびれを有することを特徴とする請求項７から９までのいずれか一つに記載の壁材。
【請求項１１】
前記冷却部は蛇行する管状をなしていることを特徴とする請求項１から６までのいずれか一つに記載の壁材。
【請求項１２】
前記冷却部は、吸熱部と、該吸熱部に接触し、前記熱媒体が流通する蛇行管とを備え、
前記吸熱部は前記表示モジュールに接触していることを特徴とする請求項１から６までのいずれか一つに記載の壁材。
【請求項１３】
前記窓部は矩形状をなし、
前記保持部は、平面視矩形状をなし、長手方向に沿って穿設された長孔と、該長孔に沿って取付自在の隔壁継手と
を有し、
前記保持部は前記窓部の一側縁及び他側縁に沿って対向して設けられており、
前記隔壁継手を介して前記冷却部に熱媒体を流出入させる配管を接続していることを特徴とする請求項１から１２までのいずれか一つに記載の壁材。
【請求項１４】
前記冷却部は前記後壁部に固着されていることを特徴とする請求項１から１３までのいずれか一つに記載の壁材。
【請求項１５】
前記熱媒体は水又は代替フロンであることを特徴とする請求項１から１４までのいずれか一つに記載の壁材。
【請求項１６】
前記冷却部は、前記熱媒体が流入する流入孔と、該熱媒体が流出する流出孔とを有し、
前記流入孔及び流出孔に接続された配管と、
該配管を通じて前記冷却部に前記熱媒体を送出する循環ポンプと
を備えることを特徴とする請求項１から１４までのいずれか一つに記載の壁材。
【請求項１７】
前記ＡＶ機器は電源スイッチを有し、
前記循環ポンプの起動スイッチが前記電源スイッチと連動していることを特徴とする請求項１６に記載の壁材。
【請求項１８】
前記冷却部に温度センサが設けられており、
該温度センサの検知信号に基づいて前記循環ポンプの起動スイッチのオン制御をしていることを特徴とする請求項１５又は１６に記載の壁材。
【請求項１９】
前記冷却部に温度センサが設けられており、
該温度センサの検知信号に基づいて前記循環ポンプの排出量を制御していることを特徴とする請求項１６又は１７に記載の壁材。
【請求項２０】
前記熱媒体は水であり、
該水を貯水する貯水タンクを備え、
該貯水タンクの水が前記循環ポンプにより前記冷却部に供給されていることを特徴とする請求項１６に記載の壁材。
【請求項２１】
請求項１から２０までのいずれか一項に記載の壁材と、供給された水を加熱する温水器とを備えることを特徴とする給湯システム。
【請求項２２】
前記冷却部に流通する前記熱媒体は水であり、該水が前記温水器に供給されるようになっていることを特徴とする請求項２１に記載の給湯システム。
【請求項２３】
熱交換器を備え、
該熱交換器で水と前記熱媒体とが熱交換するようになっており、該熱交換器で加熱された該水が、前記温水器に供給されるようになっていることを特徴とする請求項２１に記載の給湯システム。
【請求項２４】
給水される貯水タンクを備え、
該貯水タンクの水が前記熱媒体として前記冷却部を流通しており、該水が前記温水器に供給されるようになっていることを特徴とする請求項２１に記載の給湯システム。
【請求項２５】
給水された貯水タンクと、
該貯水タンクから供給された水と前記熱媒体とが熱交換する熱交換器と
を備え、
該熱交換器で加熱された前記水が、前記貯水タンク及び熱交換器を循環するようにしてあることを特徴とする請求項２１に記載の給湯システム。
【請求項２６】
請求項１から２０までのいずれか一項に記載の壁材を利用した壁を備えることを特徴とする建築物。
【請求項２７】
請求項２１から２５までのいずれか一項に記載の給湯システムを備えることを特徴とする建築物。
【発明の詳細な説明】
【技術分野】
【０００１】
本発明は、冷却部を内蔵してＡＶ機器を組み込む壁材及びＡＶ機器の排熱を利用した給湯システム並びに壁材を利用した建築物に関する。
【背景技術】
【０００２】
近年、液晶ディスプレイ又はプラズマディスプレイ等の表示装置は、大画面化及び薄型化等が図られており、表示モジュールを筐体に収容している。表示装置は駆動しているとき、表示モジュール及び電子部品等が発熱する。表示装置は、大画面、高画質及び高輝度であるほど発生熱量が増加するため、空冷及び水冷等の放熱構造を備えている。
【０００３】
この種の放熱構造を備えた表示装置は、静音化、大画面化及び設置面の省スペース化に対応して各種提案されている。
例えば特許文献１に示す表示装置は、静音化に対応して冷却ファンを用いることなく、発熱する表示モジュールの筐体を冷却するため、冷却液を循環させるパイプを表示モジュールの筐体背面の内側に配設している。
また特許文献２に示す表示装置は、表示モジュール自体を壁に埋め込み、表示モジュール及びプリント基板等に通気して自然空冷している。
さらに特許文献３に示す壁面設置用システムでは、放熱構造はないが表示装置自体を壁用パネル材に取り付けている。
【０００４】
また、特許文献４に示す例では、建物構造において、壁に冷蔵庫及びテレビ等が組み込まれている。テレビなどで発熱する構成部材は、床下空間の集中制御装置に一体化して設けられており、排熱により室温が上昇しないようにされている。さらに、冷房装置の冷風は壁厚内の空調ダクトにより各部屋に供給されている。冷房装置の排熱は熱交換器により温水にして浴槽及び洗面所等に給湯されている。
【特許文献１】特開２００５−１７４１３号公報
【特許文献２】特開２００３−７５８５８号公報
【特許文献３】特許第３４２３５２９号公報
【特許文献４】特開２００５−３６６０９号公報
【発明の開示】
【発明が解決しようとする課題】
【０００５】
ところで、従来の薄型テレビを代表とする大画面の表示装置には、単体として空冷及び水冷等の放熱構造を備えて載置され又は壁に組み込まれている場合はあるが、例えばディスプレイ、レシーバ及びＤＶＤ等のＡＶ機器関連の各機器を単位として又はこれらの組み合わせを単位として壁一体型に組込かつ組立可能で冷却可能にはなっていない。
また、冷房装置の排熱は給湯として有効利用されてはいるが、電化製品及びＡＶ機器等、特に大画面化及び高輝度化等により発熱量が増大した表示装置の排熱は、未だ有効利用されていない。
【０００６】
本発明は、このような事情に鑑みてなされたものであって、その目的とするところは、ＡＶ機器を壁一体化して組み込んで該ＡＶ機器を冷却する冷却部を内蔵する構成を備えることにより、組み込んだＡＶ機器を冷却することができ、各ＡＶ機器を単位として又はこれらの組み合わせを単位として壁一体型に組込かつ組立可能である壁材及びＡＶ機器の排熱を利用した給湯システム並びに壁材を利用した建築物を提供することにある。
【課題を解決するための手段】
【０００７】
本発明の壁材は、内部にＡＶ機器を保持する壁躯体と、該壁躯体の内部に、前記ＡＶ機器に接触しており、熱媒体が流通する流路を有する冷却部とを有することを特徴とする。
【０００８】
このような構成の本発明の壁材では、例えばＡＶ機器の機能ごとに複数の種類から一つの機器を選択して、該機器を壁躯体の内部に保持する。ＡＶ機器を組み込んだ各壁材は、壁材をブロックとして組み合わせ可能であり、複数個組み合わせることにより、一つのユニットとしたＡＶシステムを構成する。
ＡＶ機器を壁材に組み込んだ場合、ＡＶ機器に冷却部が接触する。冷却部の流路に熱媒体が流通したとき、冷却部は、ＡＶ機器の熱を奪って冷却する。
【０００９】
本発明の壁材は、ＡＶ機器の表示部用又は操作部用の窓部が設けられた前壁部と、ＡＶ機器を保持することが可能な保持部と、前記ＡＶ機器に接触しており、熱媒体が流通する流路を有する冷却部と、前記前壁部と対向して設けられた後壁部とを備え、前記前壁部及び後壁部が前記保持部及び冷却部を収容していることを特徴とする。
【００１０】
このような構成の本発明の壁材では、例えばＡＶ機器の機能ごとに複数の種類から一つの機器を選択して、該機器の表示部又は操作部を窓部に臨ませて保持部で保持する。ＡＶ機器を組み込んだ各壁材は、壁材をブロックとして組み合わせ可能である。
ＡＶ機器を組み込んだ壁材は、複数個組み合わせることにより、一つのユニットとしたＡＶシステムを構成する。
ＡＶ機器を壁材に組み込んだ場合、ＡＶ機器に冷却部が接触する。冷却部の流路に熱媒体が流通したとき、冷却部は、ＡＶ機器の熱を奪って冷却する。
【００１１】
本発明の壁材は、前記冷却部は前記ＡＶ機器の一部、全部又は発熱部分に接触していることを特徴とする。
【００１２】
このような構成の本発明の壁材では、ＡＶ機器を壁材に組み込んだとき、ＡＶ機器の一部、全部又は発熱部分が冷却部に接触する。
冷却部の流路に熱媒体が流通したとき、冷却部は、接触したＡＶ機器の一部、全部又は発熱部分から熱を奪って冷却する。
【００１３】
本発明の壁材は、前記ＡＶ機器は表示モジュールを備え、該表示モジュールが前記保持部に保持されており、前記冷却部は前記表示モジュールの一部又は全部に接触していることを特徴とする。
【００１４】
このような構成の本発明の壁材では、保持部で保持して表示モジュールを壁材に組み込んだとき、表示モジュールの一部又は全部が冷却部に接触する。
冷却部の流路に熱媒体が流通したとき、冷却部は、接触した表示モジュールの一部又は全部から熱を奪って冷却する。
【００１５】
本発明の壁材は、前記冷却部は前記前壁部と対向しており、該前壁部と略同じ大きさを有することを特徴とする。
【００１６】
このような構成の本発明の壁材では、冷却部が接触するＡＶ機器だけでなく、壁材内部の空間全体を冷却する。
【００１７】
本発明の壁材は、前記冷却部は前記表示モジュールの発熱部分に対応して接触していることを特徴とする。
【００１８】
このような構成の本発明の壁材では、保持部で保持して表示モジュールを壁材に組み込んだとき、表示モジュールの発熱部分が冷却部に接触する。
冷却部の流路に熱媒体が流通したとき、冷却部は、接触した表示モジュールの発熱部分から熱を奪って、表示モジュールをより効果的に冷却する。
【００１９】
本発明の壁材は、前記冷却部は、中空状をなし、該冷却部の一側部に前記熱媒体の流入孔及び流出孔が形成されており、該流入孔から該流出孔に至る流通迷路が形成されていることを特徴とする。
【００２０】
このような構成の本発明の壁材では、冷却部の流通迷路を熱媒体が流通して、冷却部に接触するＡＶ機器を冷却する。
【００２１】
本発明の壁材は、前記冷却部は、中空状をなし、該冷却部の一側部に形成された前記熱媒体の流入孔と、該冷却部の一側部に対向する他側部に形成された流出孔とを有することを特徴とする。
【００２２】
このような構成の本発明の壁材では、冷却部の一側部の流入孔から他側部の流出孔に至る流路を熱媒体が流れて効率よく吸熱し、冷却部に接触するＡＶ機器を冷却する。
【００２３】
本発明の壁材は、前記表示モジュールは表示画面を一面に有する直方体状をなし、前記冷却部は前記表示モジュールの反対側の他面に嵌合可能な凹部を有することを特徴とする。
【００２４】
このような構成の本発明の壁材では、保持部で保持して表示モジュールを壁材に組み込んだとき、表示モジュールの他面が冷却部の凹部に嵌合して接触する。
冷却部の流路に熱媒体が流通したとき、冷却部は、接触した表示モジュールの後部全体から熱を奪って冷却する。
【００２５】
本発明の壁材は、前記冷却部は長手方向の一側部又は両側部にくびれを有することを特徴とする。
【００２６】
このような構成の本発明の壁材では、冷却部のくびれにより細く狭まった流路で熱媒体の流速が速くなり、熱媒体の吸熱効率が高くなって、冷却部が接触するＡＶ機器を効果的に冷却する。
【００２７】
本発明の壁材は、前記冷却部は蛇行する管状をなしていることを特徴とする。
【００２８】
このような構成の本発明の壁材では、蛇行する管状の冷却部に熱媒体が流通して、冷却部に接触するＡＶ機器を冷却する。
壁材にＡＶ機器が複数個組み込まれている場合、各壁材のＡＶ機器に対応して冷却部を配設することが可能になり、冷却部は各ＡＶ機器に接触して冷却する。
【００２９】
本発明の壁材は、前記冷却部は、吸熱部と、該吸熱部に接触し、前記熱媒体が流通する蛇行管とを備え、前記吸熱部は前記表示モジュールに接触していることを特徴とする。
【００３０】
このような構成の本発明の壁材では、蛇行管に熱媒体が流通し、吸熱部によりＡＶ機器を冷却する。吸熱部の適宜の位置に蛇行管を配設する場合、各ＡＶ機器又は発熱する部分に対応して冷却することが可能になる。
【００３１】
本発明の壁材は、前記窓部は矩形状をなし、前記保持部は、平面視矩形状をなし、長手方向に沿って穿設された長孔と、該長孔に沿って取付自在の隔壁継手とを有し、前記保持部は前記窓部の一側縁及び他側縁に沿って対向して設けられており、前記隔壁継手を介して前記冷却部に熱媒体を流出入させる配管を接続していることを特徴とする。
【００３２】
このような構成の本発明の壁材では、冷却部がＡＶ機器に接触する位置に対応して、保持部の長孔での隔壁継手の位置を調節し、固定する。隔壁継手と冷却部とが配管接続され、冷却部が取り付けられる。
したがって、本発明の壁材は、冷却部の取付位置の調節が可能になる。
【００３３】
本発明の壁材は、前記冷却部は前記後壁部に固着されていることを特徴とする。
【００３４】
このような構成の本発明の壁材では、冷却部を固着した後壁部を組み付けるだけで、該壁材に冷却部が内蔵される。冷却部に熱媒体が流通して、冷却部はＡＶ機器に接触して冷却する。
【００３５】
本発明の壁材は、前記熱媒体は水又は代替フロンであることを特徴とする。
【００３６】
このような構成の本発明の壁材では、冷却部に水又は代替フロンが冷却部を流通して吸熱する。
【００３７】
本発明の壁材は、前記冷却部は、前記熱媒体が流入する流入孔と、該熱媒体が流出する流出孔とを有し、前記流入孔及び流出孔に接続された配管と、該配管を通じて前記冷却部に前記熱媒体を送出する循環ポンプとを備えることを特徴とする。
【００３８】
このような構成の本発明の壁材では、循環ポンプが配管を通じて熱媒体を冷却部に送出する。熱媒体は冷却部の流入孔から流入し、流出孔から流出する。冷却部はＡＶ機器に接触して冷却する。
【００３９】
本発明の壁材は、前記ＡＶ機器は電源スイッチを有し、前記循環ポンプの起動スイッチが前記電源スイッチと連動していることを特徴とする。
【００４０】
このような構成の本発明の壁材では、ＡＶ機器を使用する場合、電源スイッチをオンしたとき、循環ポンプが起動する。循環ポンプの送出により熱媒体が、配管を通じて冷却部に流入した後、流出して、冷却部はＡＶ機器に接触して冷却する。
【００４１】
本発明の壁材は、前記冷却部に温度センサが設けられており、該温度センサの検知信号に基づいて前記循環ポンプの起動スイッチのオン制御をしていることを特徴とする。
【００４２】
このような構成の本発明の壁材では、冷却部の温度センサにより循環ポンプが起動し、冷却部の温度に対応して、ＡＶ機器が冷却可能になる。
【００４３】
本発明の壁材は、前記冷却部に温度センサが設けられており、該温度センサの検知信号に基づいて前記循環ポンプの排出量を制御していることを特徴とする。
【００４４】
このような構成の本発明の壁材では、冷却部の温度センサの検知信号により循環ポンプの排出量の増減を制御して、冷却部を流通する熱媒体の流量を制御する。
したがって、循環ポンプの排出量の制御により冷却部の温度が制御可能になる。
【００４５】
本発明の壁材は、前記熱媒体は水であり、該水を貯水する貯水タンクを備え、該貯水タンクの水が前記循環ポンプにより前記冷却部に供給されるようになっていることを特徴とする。
【００４６】
このような構成の本発明の壁材では、貯水タンクに熱媒体の水を貯水しているため、循環ポンプにより送出する水の量は、増減を容易に制御可能になる。
したがって、水の量に応じて、冷却部の冷却効率が調節可能になる。
【００４７】
本発明の給湯システムは、前述の壁材と、供給された水を加熱する温水器とを備えることを特徴とする。
【００４８】
このような構成の本発明の給湯システムでは、壁材に組み込んだＡＶ機器の排熱を利用して、温水を供給することが可能になる。
【００４９】
本発明の給湯システムは、前記冷却部に流通する前記熱媒体は水であり、該水が前記温水器に供給されるようになっていることを特徴とする。
【００５０】
このような構成の本発明の給湯システムでは、壁材に組み込んだＡＶ機器の排熱により、冷却部を流通する水を温水に変えて、温水器に供給する。温水器は温水を沸かすので、省電力になる。
【００５１】
本発明の給湯システムは、熱交換器を備え、該熱交換器で水と前記熱媒体とが熱交換するようになっており、該熱交換器で加熱された該水が、前記温水器に供給されるようになっていることを特徴とする。
【００５２】
このような構成の本発明の給湯システムでは、壁材を組み込んだＡＶ機器の排熱により、冷却部を流通する熱媒体が吸熱し、熱交換器で熱媒体と水とが熱交換して、加熱された水が温水になり、温水が温水器に給水される。温水器は温水を沸かすので、省電力になる。
【００５３】
本発明の給湯システムは、給水される貯水タンクを備え、該貯水タンクの水が前記熱媒体として前記冷却部を流通しており、該水が前記温水器に供給されるようになっていることを特徴とする。
【００５４】
このような構成の給湯システムでは、貯水タンクの水を冷却部の熱媒体として供給し、水の供給量が増減可能になる。
壁材に組み込んだＡＶ機器の排熱により、冷却部を流通する水を温水に変えて、温水器に供給する。温水器は温水を沸かすので、省電力になる。
【００５５】
本発明の給湯システムは、給水された貯水タンクと、該貯水タンクから供給された水と前記熱媒体とが熱交換する熱交換器とを備え、該熱交換器で加熱された前記水が、前記貯水タンク及び熱交換器を循環するようにしてあることを特徴とする。
【００５６】
このような構成の給湯システムでは、壁材を組み込んだＡＶ機器の排熱により、冷却部を流通する熱媒体が吸熱し、熱交換器で貯水タンクから供給された水と熱媒体とが熱交換し、貯水タンクの水が貯水タンク及び熱交換器を循環する。貯水タンクの水が完全に温水になったとき、温水が温水器に供給される。温水器は温水を沸かすので、省電力になる。
【００５７】
本発明の建築物は、前述の壁材を利用した壁を備えることを特徴とする。
【００５８】
このような構成の建築物では、複数個の壁材が適宜組み立てられることにより、壁材が建築物の部屋の壁になる。
【００５９】
本発明の建築物は、前述の給湯システムを備えることを特徴とする。
【００６０】
このような構成の建築物では、ＡＶ機器が組み込まれた壁材が複数個適宜に組み立てられることにより、壁材が建築物の部屋の壁となる。壁材に組み込まれたＡＶ機器の排熱を利用する給湯システムにより、建築物の、例えばバス及びキッチン等に給湯する。
【発明の効果】
【００６１】
本発明の壁材は、ＡＶ機器を壁と一体化して組み込み、ＡＶ機器を冷却する冷却部を内蔵しているので、ＡＶ機器を冷却することができるという効果を有する。さらに各ＡＶ機器を組み込んだ各壁材は、各壁材をブロックとして組み合わせることができ、一つのユニットとしたＡＶシステムを構成することができるという効果を有する。
本発明の給湯システムは、壁材に組み込んだＡＶ機器の排熱を利用して、水を温水に変えて温水器に供給しているので、温水器により温水から加熱してお湯を供給することができ、省電力にすることができる。
本発明の建築物は、ＡＶ機器が組み込まれた壁材により、壁一体型のＡＶシステムを構成することができるという効果を有する。また壁材に組み込まれたＡＶ機器の排熱を利用して、例えばバス及びキッチン等に給湯することができるという効果を有する。
【発明を実施するための最良の形態】
【００６２】
以下、図面に基づき、本発明による壁材の好適な実施の形態を説明する。
（実施の形態１）
図１は実施の形態１に係る壁材を建築物の部屋の壁として複数組み立てた構成を示す斜視図、図２は表示装置の表示モジュールを組み込んだ壁材を示す正面から視た斜視図、図３は複数のＡＶ機器を組み込んだ壁材を示す正面から視た斜視図、図４はスピーカシステムを組み込んだ壁材を示す正面から視た斜視図、図５は壁材の窓部を壁紙で覆った状態を示す正面斜視図である。
実施の形態１に係る壁材は、ＡＶ（Audio Visual）機器の各機器、例えば大画面薄型テレビの表示モジュール２、テレビチューナ３ａ、ＤＶＤプレイヤ３ｂ、端子ボックス３ｃ及びスピーカシステム３ｄ等を機能ごとに組み込んだブロック単位として構成されている（図２及び図４を参照）。さらに壁材は、複数のＡＶ機器を組み合わせたブロック単位として構成してもよい（図３を参照）。壁材は、ＡＶ機器が壁一体型に組込かつ複数個を組み合わせて組立可能になっている。複数個の壁材が適宜組み立てられることにより、壁材は建築物の部屋の壁１を構成するようになっている（図１を参照）。
【００６３】
壁材は、扁平な直方体状の壁材であり、組み込まれるＡＶ機器、例えば表示モジュール２の表示画面２ａの大きさに対応した窓部１１を有している。壁材はＡＶ機器を組み込まない状態で使用可能であり、窓部１１に壁紙３ｅを貼った状態で、単なる壁材としても利用することができる（図１及び図５を参照）。
【００６４】
図６は実施の形態１に係る壁材に表示モジュールを組み込んだ壁一体型表示装置の正面方向から視た斜視図、図７は壁材の柱体を示す斜視図、図８は壁材の内部構造を示す背面方向から視た斜視図である。
実施の形態１に係る壁材に組み込む表示モジュール２は、例えば液晶ディスプレイ、プラズマディスプレイ、有機エレクトロルミネッセンス・ディスプレイ又は電界放出ディスプレイの一種である表面伝導型電子放出素子ディスプレイ等であればよい。
壁一体型表示装置の表示モジュール２は、表示画面２ａを正面にして、縦姿勢の扁平な横長直方体状の筐体４に収容されている。
壁材は、直方体状をなし、表示モジュール２の表示画面２ａの保持枠をなす矩形板状の前壁部１０を有する。前壁部１０の略中央部に表示画面２ａと略同形の矩形状の窓部１１が形成されている。
壁材は前壁部１０と間隙を介して対向する後壁部１２を備える。後壁部１２は前壁部１０と縦横が同寸法の矩形板状をなしている。前壁部１０及び後壁部１２の材料は、合板及び石膏ボード等の建築材として利用可能なボードであればよい。
【００６５】
前壁部１０の両側部１０ｂ、１０ｂの後壁部１２側に角パイプ状の柱体１４、１４が設けられている。柱体１４、１４は、壁材の側壁部となっており、前壁部１０と後壁部１２とを結合して、間隙を適切に確保するスペーサの役割を担っている。
図７に示すように、柱体１４は角パイプ状の他に、角柱状でもよく、また各種チャンネルであってもよい。柱体１４の材料は、金属製、木製及びコンクリート製等であり、強度を有して支柱及び側壁部になりうるものであればよい。
【００６６】
図８に示すように、壁材は、熱媒体が循環可能な金属製の冷却部である冷却ジャケット２０を内蔵している。
壁材には窓部１１の上縁１１ａ及び下縁１１ｂに沿って、表示モジュール２及び冷却ジャケット２０を縦姿勢で保持する保持部１６、１６が、対向して設けられている。
保持部１６は、長手方向が横向きの正面視矩形状の保持台１７と、正面視横長矩形状の係止部１９とからなっている。保持台１７の正面部１８には、保持部１６を前壁部１０の後面にビス（図示せず）で固定するための取付孔１８ａ、１８ａ、１８ａが横並び等間隔に三個穿設されている。保持台１７は縦断面視コ形の部材であり、コ形の開いた側が後壁部１２に向いている。保持部１６、１６は壁の構造を支える壁駆体をなしている。
【００６７】
下縁１１ｂ側の保持部１６の保持台１７は、平面視横長矩形状の保持面１７ａを有している。保持面１７ａの後縁１７ｂに沿って、冷却ジャケット２０の設置位置を規制するための係止部１９が、上向きに突設されている。係止部１９には、冷却ジャケット２０を取り付けるための取付孔１９ａ、１９ａ、１９ａが、横並び等間隔に三個穿設されている。
保持部１６の下端面１６ｄは、前壁部１０の下端面１０ｃ及び後壁部１２の下端面１２ｃと面一になっている。
【００６８】
窓部１１の上縁１１ａに沿って設けられた保持部１６は、下縁１１ｂに沿って設けられた保持部１６の上下を逆にして設けられている。上縁１１ａ側の保持部１６の上端面１６ｅは、前壁部１０の上端面１０ｄ及び後壁部１２の上端面１２ｄと面一になっている。
【００６９】
冷却ジャケット２０は縦姿勢の扁平な中空直方体状をなし、冷却ジャケット２０の正面部が表示モジュール２の筐体４の後面部４ａと略同形状をなしている。冷却ジャケット２０の底部２１ａは長手方向を横向きにしており、底部２１ａの一側部に熱媒体の流入孔２２ａが形成されている。冷却ジャケット２０の天井部２１ｂには、流入孔２２ａと略対角をなす位置に、熱媒体の流出孔２２ｂが形成されている。
なお、底部２１ａの流入孔２２ａに対向して、下側の保持部１６の保持面１７ａに孔が穿設されており、また天井部２１ｂの流出孔２２ｂに対向して、上側の保持部１６の保持面１７ａに孔が穿設されている。
【００７０】
冷却ジャケット２０の後面部の上縁部及び下縁部が、各保持部１６、１６の係止部１９、１９の取付孔１９ａ、１９ａ・・・にビス（図示せず）で固定されている。
さらに保持台１７、１７の各正面部１８、１８が、窓部１１の上縁１１ａの上方側及び下縁１１ｂの下方側にて、前壁部１０の後面の上部及び下部に各当接して、正面部１８の取付孔１８ａ、１８ａ・・・にビス（図示せず）で固定されている。
【００７１】
前壁部１０から奥行き方向への柱体１４の幅は、保持部１６の奥行き方向の幅よりも少し長い。このため、冷却ジャケット２０の後面部と後壁部１２との間には、間隙が形成されている。この間隙は、壁材の下端から上端に向かう通気路になっている。
なお、柱体１４の幅と保持部１６の幅とを略同寸法にすることにより、冷却ジャケット２０の後面部が、後壁部１２に密接するようにしてもよい。
【００７２】
冷却ジャケット２０には、熱媒体供給源から弁（図示せず）を介して配管２３ａを通り、流入孔２２ａから熱媒体が流入するようになっている。そして、流入した熱媒体が、冷却ジャケット２０の中を下側から上側に流れ、流出孔２２ｂから配管２３ｂを通じて流出するようになっている。弁の開閉動作により、冷却ジャケット２０に配管２３ａ、２３ｂを通じて熱媒体が、供給されるようになっている。
なお、図８中、白抜き点線矢印は熱媒体の流れを示す。
【００７３】
図９は実施の形態１に係る壁材に表示モジュールを組み込む状態を示す正面方向から視た斜視図である。
壁材には、前壁部１０の窓部１１に臨んで冷却ジャケット２０が位置しており、表示モジュール２を取付可能なように凹部２４が形成されている。表示モジュール２を収容した筐体４は、壁材の保持部１６の保持面１７ａに縦姿勢で載置される。
筐体４の後面部４ａの全面に、伝熱シート５が圧着されている。筐体４が、保持部１６に取り付けられたとき、伝熱シート５を介して冷却ジャケット２０が、筐体４の後面部４ａに接触するようになっている。
【００７４】
次に実施の形態１の作用について説明する。
壁材は、ＡＶ機器の機能ごとに複数の種類から一つの機器を選択して、保持部１６の保持台１７に載置して固定する。各ＡＶ機器を組み込んだ壁材は、各壁材をブロックとして組み合わせ可能であり、一つのユニットとしたＡＶシステムを構成する。ＡＶシステムを構成した壁材は、部屋の壁１になる（図１を参照）。
例えば表示装置の表示モジュール２を壁材に組み込む場合、表示モジュール２を収容した筐体４を保持部１６の保持台１７に載置して固定して、筐体４の後面部４ａに接触した伝熱シート５に冷却ジャケット２０が接触する。
冷却ジャケット２０に熱媒体が流通したとき、冷却ジャケット２０は、伝熱シート５を介して筐体４の後面部４ａの全面から熱を奪い、筐体４を冷却する。
【００７５】
このように実施の形態１に係る壁材は、ＡＶ機器を壁と一体化して組み込むことができ、組み込んだＡＶ機器を冷却部により冷却することができる。
したがって、実施の形態１に係る壁材は、冷却ファンを使用しないでＡＶ機器を冷却しているので、静音化することができる。
【００７６】
例えばＡＶ機器が大画面薄型テレビの表示モジュール２の場合、大画面化、高画質化及び高輝度化が一層進み、発熱量が増大したとき、実施の形態１に係る冷却ジャケット２０は、大きさの拡大で容易に対応することができ、また熱媒体の流量の増加で容易に対応することもできる。
したがって、実施の形態１に係る壁材は、発生熱量が増大した場合であっても、組み込んだＡＶ機器の信頼性を確保することができる。
【００７７】
また実施の形態１に係る壁材では、ＡＶ機器を壁一体型としているので、部屋内でのスペースをとらず、大画面壁型テレビが実現する。
また実施の形態１では、組み込む表示モジュール２の表示画面２ａの大きさに対応した壁材を選択することができるので、部屋の広さに応じた大きさの大画面壁型テレビを選択することができる。さらに壁材は部屋の壁となっているので、地震及び人の衝突等が発生したとき、組み込まれたＡＶ機器が転倒することがない。
【００７８】
（実施の形態２）
次に実施の形態２について説明する。
図１０は実施の形態２に係る冷却ジャケットを備える壁材の内部構造を示す正面方向から視た斜視図である。
なお、実質的に同一又は対応する部材には同一符号を用いて、重複する詳細な説明は適宜省略し、さらに同名称の部材については同材料で形成されており、以下同様とした。
実施の形態１に係る冷却ジャケット２０は、表示モジュール２を収容した筐体４の後面部４ａの大きさに合わせて設けられていたが、実施の形態２に係る冷却ジャケット３０は前壁部１０の大きさに合わせて設けられている。
【００７９】
下縁１１ｂ側に設けられた保持部１６の保持台１７は、表示モジュール２を保持する平面視横長矩形状の保持面１７ａを有する。実施の形態１では保持面１７ａの後縁１７ｂに係止部１９を突設していたが、実施の形態２では保持部１６の下端面１６ｄの後壁部１２側の縁１７ｃに沿って、冷却ジャケット３０の設置位置を規制する係止部１９が、上向きに突設されている。実施の形態２に係る下端面１６ｄは、保持面１７ａよりも前壁部１０の奥行き方向へ長く形成されている。
窓部１１の上縁１１ａに沿って設けられた保持部１６は、窓部１１の下縁１１ｂに沿って設けられた保持部１６の上下を逆にして設けられている。
なお、柱体１４は、冷却ジャケット３０が前壁部１０と同程度の大きさであるため、薄くしている。
【００８０】
このような実施の形態２に係る冷却ジャケット３０では、表示モジュール２だけでなく、表示モジュール２の周囲の空間、即ち壁材内の空間の略全体を冷却し、冷却効率が向上する。
したがって、実施の形態２では、熱がこもりやすい壁材の上部空間をも冷却することができる。
【００８１】
（実施の形態３）
図１１は実施の形態３に係る冷却ジャケット及び表示モジュールを示す正面方向から視た斜視図である。
実施の形態３に係る冷却ジャケット３２は、前壁部１０と略同じ大きさの扁平なタンク状にしている。冷却ジャケット３２の正面部２０ｂの略中央部には、実施の形態１に係る凹部２４と同様の深さで正面視矩形状の凹部３３が、形成されている。この凹部３４に、筐体４の後面部４ａ、両側面部４ｂ、４ｂ、上面部４ｃ及び下面部４ｄが、伝熱シート５に覆われて接触して取り付けられている。
【００８２】
このような実施の形態３に係る冷却ジャケット３２では、表示モジュール２を収容した筐体４の後面部４ａだけでなく、筐体４の両側面部４ｂ、４ｂ、上面部４ｃ及び下面部４ｄにも冷却ジャケット３２が接触し、表示モジュール２の冷却効率が向上する。
【００８３】
（実施の形態４）
図１２は実施の形態４に係る冷却ジャケットを備える壁材の内部構造を示す背面方向から視た斜視図、図１３は冷却ジャケットの保持部を示す正面方向から視た斜視図である。
実施の形態４に係る冷却ジャケット３４は、例えば表示モジュール２の局所的な発熱部の大きさに対応させた大きさにしている。冷却ジャケット３４は扁平な直方体状をなし、実施の形態１に係る冷却ジャケット２０の縦横の寸法のみ縮めている。
【００８４】
冷却ジャケット３４は、表示モジュール２の局所的な発熱部に対応する位置に、取付可能になっている。冷却ジャケット３４の横方向の取付位置を調節可能にするために、保持部１６には、横方向に長い長孔３６が、保持面１７ａの後縁１７ｂに沿って穿設されている。長孔３６は、例えば３／８インチのパイプ用のバルクヘッドユニオンが固定可能な大きさの孔に穿設されている。
【００８５】
冷却ジャケット３４の取付位置が決まったとき、冷却ジャケット３４の流入孔２２ａ及び流出孔２２ｂに近い位置で、保持部１６、１６の長孔３６、３６にバルクヘッドユニオンが、取り付けられる。冷却ジャケット３４の流入孔２２ａ及び流出孔２２ｂは、３／８インチパイプの配管２３ａ、２３ｂで各バルクヘッドユニオンに接続される。
冷却ジャケット３４の横方向の位置は、支持部１６の横方向に長い長孔３６に取り付けるバルクヘッドユニオンの位置で調節できる。また冷却ジャケット３４の縦方向の位置は、配管２３ａ、２３ｂの縦方向の長さで調節可能である。
【００８６】
この例の場合、冷却ジャケット３４は配管２３ａ、２３ｂで支持されるため、強度を確保可能な３／８インチのパイプ以上の外径のパイプを使用するのが望ましい。
なお、冷却ジャケット３４は、冷却ジャケット３４の取付位置を決めた後、保持部１６、１６の各係止部１９、１９から冷却ジャケット３４の背面に渡るブラケットによって、固定かつ支持されるようにしてもよい。
【００８７】
表示モジュール２を収容した筐体４を保持部１６の保持面１７ａに縦姿勢で載置するとき、奥方向への位置を規制するために、角パイプ状のストッパ３８が各保持部１６、１６に設けられている。ストッパ３８は、保持部１６の係止部１９に当接して、保持面１７ａの両側縁に沿って二個設けられている。ストッパ３８の奥行き方向の幅は、冷却ジャケット３４の奥行き方向の幅と同寸法にしている。
なお、図１２中、矢印及び白抜き点線矢印等は熱媒体の流れを示す。
【００８８】
筐体４の後面部４ａの全面に伝熱シート５が圧着されている。冷却ジャケット３４は伝熱シート５に接触して、表示モジュール２を収容した筐体４を冷却する。
なお、伝熱シート５は、筐体４の後面部４ａの全面に圧着したが、局所的に発熱する部分の大きさに合わせた一部分だけに圧着して、冷却ジャケット３４を伝熱シート５の一部分に接触させるようにしてもよい。
【００８９】
このような実施の形態４に係る冷却ジャケット３４では、表示モジュール２の発熱部分に対応して、冷却ジャケット３４を縦横自在の位置に取り付けて配管２３ａ、２３ｂをバルクヘッドユニオンに接続し、表示モジュール２の発熱部分を冷却する。
したがって、実施の形態４では、表示モジュール２の局所的に発熱する部分に対応させて冷却ジャケット３４の位置を調節することができ、局所的に発熱する部分を効果的に冷却することができる。
【００９０】
実施の形態４では一個の表示モジュール２を窓部１１に設けるため、窓部１１は一個形成されている。複数個のＡＶ機器を壁材に組み込む場合、複数個の窓部１１を設け、各窓部１１に保持部１６が設けられる。各窓部１１に保持部１６で保持されたＡＶ機器のそれぞれの発熱部に対応して、複数個の冷却ジャケット３４が、ＡＶ機器の発熱する位置、大きさ及び範囲に対応して設けられる。
このような冷却ジャケット３４は発熱するＡＶ機器を効果的に冷却する。
【００９１】
（実施の形態５）
図１４は実施の形態５に係る冷却ジャケットを備える壁材の内部構造を示す背面方向から視た斜視図である。
実施の形態５に係る冷却ジャケット４０は、実施の形態１と同様の大きさの冷却ジャケット４０である。冷却ジャケット４０には、表示モジュール２の局所的に発熱する部分に対応させてくびれ４２、４３が形成されており、流路の幅を狭くした冷却ジャケット部４４が、設けられている。くびれ４２、４３の縦横の大きさは、表示モジュール２の発熱する部分に対応して適宜の大きさになっている。
【００９２】
冷却ジャケット４０の底部２１ａの略中央部に流入孔２２ａが形成されている。冷却ジャケット４０の天井部２１ｂの略中央部に流出孔２２ｂが形成されている。
なお、流入孔２２ａ及び流出孔２２ｂの位置は、冷却ジャケット部４４の横方向の位置に対応して、適宜の位置に設けるようにしてもよい。この場合、図１３に示したような長孔３６を穿設した保持部１６が使用される。
【００９３】
このような実施の形態５に係る冷却ジャケット４０では、流入孔２２ａから流入した熱媒体は、流路の狭まっている冷却ジャケット部４４で流速が速くなり、冷却ジャケット部４４が接触する局所的な発熱部分の熱を効率よく奪って冷却する。
したがって、実施の形態５では、局所的に発熱する部分を効果的に冷却することができ、冷却効率を向上させることができる。
【００９４】
（実施の形態６）
図１５は実施の形態６に係る冷却パイプジャケットを備える壁材の内部構造を示す背面方向から視た斜視図である。
実施の形態６に係る冷却パイプジャケット５０は、後壁部１２側が開口した扁平な直方体状の箱をなす吸熱部５２と、蛇行して配設された冷却パイプ５４とを備える。
吸熱部５２の正面部５２ａは、表示モジュール２の筐体４の後面部４ａと略同形状をしている。冷却パイプ５４は、筐体４の後面部４ａに対向して、吸熱部５２の内側の背面部５２ｂに伝熱ペーストで接触されている。
吸熱部５２は実施の形態１の冷却ジャケット２０と同じ大きさであり、実施の形態１と同様にして取り付けられている。吸熱部５２は、伝熱シート５を介して筐体４の後面部４ａに接触するようになっている。
【００９５】
吸熱部５２の下端部５３は長手方向を横向きにしている。下端部５３の一側部に孔５３ａ及び孔５３ｂが横並びに二個穿設されている。吸熱部５２は実施の形態１の冷却ジャケット２０と同様の保持部１６、１６で保持されている。吸熱部５２の背面側の上縁部５２ｃ及び下縁部５２ｄは、各保持部１６、１６の係止部１９、１９の取付孔１９ａ、１９ａ・・・にビス（図示せず）で固定されている。
【００９６】
実施の形態６に係る保持部１６には、吸熱部５２の一側部に穿設された二個の孔５３ａ、５３ｂに対応して、孔が穿設されている。保持部１６の孔を介して、吸熱部５２の各孔５３ａ、５３ｂにバルクヘッドユニオン５５ａ、５５ｂが取り付けられている。
孔５３ａに取り付けられたバルクヘッドユニオン５５ａの上流側に、冷却パイプ５４に熱媒体を流入させる配管２３ａが接続されている。孔５３ｂに取り付けられたバルクヘッドユニオン５５ｂの下流側に、冷却パイプ５４から熱媒体を流出させる配管２３ｂが接続されている。バルクヘッドユニオン５５ａの下流側に冷却パイプ５４の流入側の一端が接続されており、バルクヘッドユニオン５５ｂの上流側に冷却パイプ５４の流出側の他端が接続されている。
【００９７】
このような実施の形態６に係る冷却パイプジャケット５０では、表示モジュール２を収容した筐体４の後面部４ａに伝熱シート５を介して後面部４ａの全面から熱を奪って冷却する。
したがって、実施の形態６では、表示モジュール２の冷却効率が向上する。
【００９８】
なお、実施の形態６では、筐体４の後面部４ａに圧着した伝熱シート５に、吸熱部５２を介して冷却パイプ５４を接触させたが、吸熱部５２を設けることなく、冷却パイプ５４が、直接に伝熱シート５に接触させる構成にしてもよい。
冷却パイプ５４を直接に伝熱シート５に接触させた場合、冷却効率がより向上する。
【００９９】
（実施の形態７）
図１６は実施の形態７に係る冷却パイプジャケットを備える壁材の内部構造を示す背面方向から視た斜視図である。
実施の形態６の冷却パイプジャケット５０では、吸熱部５２の背面部５２ｂの略全域に渡って冷却パイプ５４が、接触して配設されていたが、部分的に配設されていてもよい。
実施の形態７の冷却パイプジャケット６０は、表示モジュール２の局所的に発熱する部分に対応させて、吸熱部５２の背面部５２ｂに接触されている。実施の形態７のその他の構成は実施の形態６と同様である。
また実施の形態７においても、吸熱部５２を設けず、冷却パイプ６０が直接に伝熱シート５に接触させるようにしてもよい。
【０１００】
このような実施の形態７に係る冷却パイプジャケットでは、発熱する部分に対応させて冷却パイプ６０を設けることができ、効率よく冷却することができる。
【０１０１】
（実施の形態８）
図１７は実施の形態８に係る冷却パイプジャケットを備える壁材の内部構造を示す背面方向から視た斜視図である。
実施の形態８の冷却パイプジャケット６２では、表示モジュール２で局所的に発熱する部分が複数箇所ある場合に、それぞれの発熱する箇所に対応させて、パイプの蛇行させる回数及び占有面積を適宜調節した冷却パイプ６４、６６が、吸熱部６３の背面部６３ｂに伝熱ペーストで接触されている。
さらに、図１７に示す吸熱部６３は、冷却パイプ６４、６６の占める位置及び面積に対応させた大きさにしている。吸熱部６３は、図１５及び図１６で示した吸熱部５２の約半分の大きさにしている。
なお、吸熱部６３の背面側の上縁部６３ｃ及び下縁部６３ｄは、各保持部１６、１６の係止部１９、１９の取付孔１９ａ、１９ａにビス（図示せず）で固定されている。
【０１０２】
このような実施の形態８に係る冷却パイプジャケットでは、発熱する部分に対応して冷却することができ、複数の発熱するＡＶ機器を冷却することができる。
【０１０３】
（実施の形態９）
図１８は実施の形態９に係る冷却ジャケットを備える壁材の内部構造を示す背面方向から視た斜視図、図１９は冷却ジャケット内に形成された流通迷路の詳細を示す斜視図である。
実施の形態９では、実施の形態１の冷却ジャケット２０の流出孔２２ｂを流入孔２２ａと横並びに隣接させて底部２１ａに形成している。
実施の形態９に係る冷却ジャケット７０は、流入孔２２ａから流出孔２２ｂに至る流通迷路７２が形成されている。流通迷路７２には袋小路はない。流通迷路７２は、必ず熱媒体が流入し、流出する流路７３ａ、７３ｂ、７３ｃ・・・からなっている。
【０１０４】
各流路７３ａ、７３ｂ、７３ｃ・・・は横向きに配設されている。各流路７３ａ、７３ｂ、７３ｃ・・・には、それぞれ熱媒体の流入孔７２ａ、７２ａ・・・から、流出孔７２ｂ、７２ｂ・・・へ、熱媒体が滞留することなく流れるようになっている。
図１８に示した流通迷路７２は、水平に流れるようになっているが、縦方向に流れるように、各流路を縦向きに配設してもよく、また斜め向きでもよい。
【０１０５】
このような実施の形態９に係る冷却ジャケット７０では、伝熱シート５を介して筐体４の後面部４ａの全面に必ず熱媒体が流通する。
したがって、実施の形態９は、筐体４を効率的に確実に冷却することができる。
【０１０６】
なお、実施の形態１から９では、冷却ジャケット２０、３０、３２、４０、７０及び冷却パイプジャケット５０、６０、６２と、後壁部１２との間に間隙が形成されているが、冷却ジャケット２０、３０、３２、４０、７０又は冷却パイプ５４、６１、６４、６６と、後壁部１２とが、密接するようにしてもよい。
【０１０７】
（実施の形態１０）
図２０は実施の形態１０に係る冷却ジャケットを後壁部に備える壁材の内部構造を示す正面方向から視た斜視図である。
実施の形態１０に係る冷却ジャケット９０は、縦姿勢の扁平な横長で中空直方体状をなしている。冷却ジャケット９０の正面部９０ａは、表示モジュール２の筐体４の後面部４ａと略同形状をなしている。冷却ジャケット９０の背面部９０ｂは、後壁部１２の略中央部に固着されている。冷却ジャケット９０の正面部９０ａは、前壁部１０の窓部１１に向いている。
【０１０８】
冷却ジャケット９０の一側部の下部に流出孔２２ａが形成されている。冷却ジャケットの他側部の上部には、流出孔２２ａと略対角をなす位置に、熱媒体の流出孔２２ｂが形成されている。
冷却ジャケット９０には、熱媒体供給源から弁（図示せず）を介して配管２３ａを通り、流入孔２２ａから熱媒体が流入するようになっている。そして、流入した熱媒体が、冷却ジャケット９０の中を下側から上側に流れ、流出孔２２ｂから配管２３ｂを通じて流出するようになっている。弁の開閉動作により、冷却ジャケット９０に配管２３ａ、２３ｂを通じて熱媒体が、供給されるようになっている。
【０１０９】
壁材には表示モジュール２を縦姿勢で保持する保持部１６が設けられている。保持部１６は、長手方向が横向きの正面視矩形状の保持台１７を有する。保持台１７の正面部１８には、保持部１６を前壁部１０の後面にビス（図示せず）で固定するための取付孔１８ａ、１８ａ、１８ａが横並び等間隔に三個穿設されている。保持台１７は縦断面視コ形の部材であり、コ形の開いた側が後壁部１２に向いている。保持台１７は、平面視横長矩形状の保持面１７ａを有している。保持部１６、１６は、前壁部１０の窓部１１の上縁１１ａ及び下縁１１ｂに沿って、保持面１７ａ、１７ａを対向させて、前壁部１０の裏面にビス（図示せず）で固定されている。
【０１１０】
表示モジュール２を収容した筐体４の後面部４ａに伝熱シート５が圧着されており、筐体４は保持部１６、１６に保持されている。冷却ジャケット９０の正面部９０ａは、伝熱シート５に接触し、冷却ジャケット９０の上端面９０ｄ及び下端面９０ｃは、保持部１６、１６のそれぞれの保持面１７ａ、１７ａに当接している。
保持部１６の上端面１６ｅ及び下端面１６ｄは、前壁部１０及び後壁部１２のそれぞれの上端面１０ｄ、１２ｄ及び下端面１０ｃ、１２ｃと面一になっている。
【０１１１】
このような実施の形態１０に係る冷却ジャケットでは、後壁部１２を組み付けるだけで冷却ジャケット９０を壁材に内蔵することができる。また表示モジュール２を収容した筐体４の後面部４ａに圧着された伝熱シート５に接触して、冷却ジャケット９０は、筐体４を効率的に冷却することができる。
【０１１２】
なお、実施の形態２、３、４、５及び９の冷却ジャケット３０、３２、３４、４０、７０は、実施の形態１０と同様の構成にして、背面部を後壁部１２に固着することができる。
また実施の形態６、７及び８の冷却パイプジャケット５０、６０、６２は、各吸熱部５２、５２、６３の各背面側の上縁部及び下縁部を後壁部１２に固着することにより、実施の形態１０と同様の構成にすることができる。
【０１１３】
以上説明した実施の形態１から１０に係る冷却ジャケット及び冷却パイプジャケット等（冷却部）の熱媒体としては、例えば水及び代替フロン等が利用できる。水は水道水でもよい。
熱媒体は、冷却部に接続された配管２３ａ、２３ｂを通じて、循環ポンプ１００により冷却部を循環するようになっている（図２３、図２５、図２６を参照）。
熱媒体として水を使用する場合、水を冷却部に供給する方法としては、貯水タンク１０２（図２６を参照）を設け、貯水タンク１０２に溜めた水を供給するようにするのが望ましい。水を貯水タンク１０２に溜めることにより、冷却部に流す水の量が任意に制御され、冷却部の冷却効率が調節でき、効率的にＡＶ機器を冷却することができる。
【０１１４】
また冷却部に設けた温度センサ１０５ｃの検知信号に基づいて、循環ポンプ１００（図２６を参照）の排出量を制御することにより、冷却部に流す水の量が制御されるようにしてもよい。
このような場合、冷却部の温度に応じて、水の量が効率よく調節できる。
【０１１５】
なお、熱媒体を循環させる循環ポンプ１００の起動スイッチは、大画面薄型テレビの電源スイッチと連動してオンするようにしてもよい。さらに温度センサ１０５ｃの検知信号により、循環ポンプ１００の起動スイッチを制御するようにしてもよい。
【０１１６】
次にＡＶ機器の排熱を利用した給湯システムについて説明する。
（実施の形態１１）
図２１は実施の形態１１に係る給湯システムにおける壁材の構造を示す図１のＣ−Ｃ断面図、図２２は家屋における給湯システムを示す斜視図、図２３は給湯システムの装置構成を示す模式図、図２４は給湯システムの制御部を示すブロック図である。
なお、図２１において、一部ハッチングを省略し、家屋の屋根を一部図示した。
実施の形態１１に係る給湯システムは、本発明の壁材に組み込まれた、例えば表示モジュール２の排熱を利用する。実施の形態１１では、壁材が実施の形態６に係る冷却パイプジャケット５０を内蔵している。壁材内部の温度を検知するために、冷却パイプジャケット５０の吸熱部５２に温度センサ１０５ｃが、設けられている。表示モジュール２が組み込まれた壁材は、建築物の部屋の壁１を構成している（図１及び図２１を参照）。
【０１１７】
給湯システムは、冷却パイプジャケット５０の冷却パイプ５４に配管２３ａ、２３ｂを通じて熱媒体を循環させる循環ポンプ１００と、水道から供給された水を溜める貯水タンク１０２と、配管１０１を通じて貯水タンク１０２の水を循環させる水循環ポンプ１０４と、配管２３ｂを通じて供給された熱媒体と配管１０１を通じて供給された水との間で熱の授受をして水を加熱する熱交換器１０６と、貯水タンク１０４から配管１０３を通じて給水される温水器１０８とを備える。貯水タンク１０４には、水温を検知する水温センサ１０５ａと、水位を検出する水位検出器１０５ｄとが設けられている。熱交換器１０６には熱媒体の温度を検出する温度センサ１０５ｂが設けられている。
【０１１８】
温水器１０８は貯湯タンク１０８ａを内蔵しており、貯湯タンク１０８ａに供給された水（温水）が、廉価な夜間電力を利用して加熱されるようになっている。
なお、配管２３ａは電磁弁１０９ａを介して冷却パイプ５４に接続されている。また配管１０３は電磁弁１０９ｂを介して温水器１０８に接続されている。貯水タンク１０２の水は電磁弁１０９ｃを介して水道から供給されている。
【０１１９】
給湯システムの制御部１１０は、制御中枢であるＣＰＵ１１２と、制御データ及びプログラムを格納しているメモリ１１４と、熱媒体を循環させる循環ポンプ１００、貯水タンク１０２及び熱交換器１０６に水を循環させる水循環ポンプ１０４、電磁弁１０９ａ、１０９ｂ、１０９ｃを駆動制御する制御回路部１１６と、制御信号及び検知信号の入出力処理をする入出力回路部１１８とを有する。大画面薄型テレビの電源スイッチ１０７のオン信号、水温センサ１０５ａ、温度センサ１０５ｂ、温度センサ１０５ｃ及び水位検出器１０５ｄの出力信号は入出力回路部１１８に入力されており、ＣＰＵ１１２により処理される。
【０１２０】
次に実施の形態１１に係る給湯システムの作用及び熱媒体の供給方法について説明する。
実施の形態１１に係る給湯システムでは、先ず、制御回路部１１６は、電磁弁１０９ｃを開にして、貯水タンク１０２に水を供給する。水位検出器１０５ｄの水位信号が入出力回路部１１８からＣＰＵ１１２に入力する。貯水タンク１０２が満杯又は所定量になったとき、ＣＰＵ１１２の処理に基づいて制御回路部１１６は電磁弁１０９ｃを閉にする。
【０１２１】
次に、大画面薄型テレビの電源スイッチ１０７をオンしたとき、表示モジュール２が駆動し、入出力回路部１１８から電源スイッチ１０７のオン信号が、ＣＰＵ１１２に入力する。ＣＰＵ１１２の処理により制御回路部１１６は、電源スイッチ１０７と連動して、電磁弁１０９ａを開にした後、循環ポンプ１００を駆動する。循環ポンプ１００の駆動により、熱媒体が、配管２３ａ、２３ｂを通じて冷却パイプジャケット５０の冷却パイプ５４から熱交換器１０６を経て循環する。
【０１２２】
次いで、制御回路部１１６は、水循環ポンプ１０４を駆動し、貯水タンク１０２内の水が、配管１０１を通じて熱交換器１０６を経て循環する。
そして、熱媒体は、冷却パイプ５４を循環して、冷却パイプジャケット５０と接触する表示モジュール２の熱を奪い、表示モジュール２を冷却する。
表示モジュール２の冷却が不十分の場合、温度センサ１０５ｃの検知信号に基づくＣＰＵの処理により、制御回路部１１６は、循環ポンプ１００の流量を上げるように制御する。
【０１２３】
熱を奪った熱媒体は、熱交換器１０６で水に熱を授け、水が温水になる。水循環ポンプ１０４により、熱交換器１０６で水が循環し、貯水タンク１０２の水が温水になっていく。
温水の温度上昇が鈍り、下がり始めたとき、水温センサ１０５ａの検知信号に基づくＣＰＵ１１２の処理により制御回路部１１６は、水循環ポンプ１０４を停止する。
熱交換器１０６の温度センサ１０５ｂの検知した温度が、温水の温度よりも高い場合、温度センサ１０５ｂの検知信号に基づくＣＰＵの処理により制御回路部１１６は、水循環ポンプ１０４を駆動し、水が熱交換器１０６内を循環する。
【０１２４】
最後に、大画面薄型テレビの電源スイッチ１０７がオフになったとき、表示モジュール２が停止し、ＣＰＵ１１２の処理により制御回路部１１６は、電源スイッチ１０７のオフと連動して、循環ポンプ１００及び水循環ポンプ１０４を停止させる。
【０１２５】
そして、夜間の所定時刻になったとき、制御回路部１１６は、電磁弁１０９ｂを開にして、温水器１０８を駆動する。温水器１０８は温水を貯水タンク１０２から貯湯タンク１０８ａにくみ上げる。貯湯タンク１０８ａに温水が満杯又は所定量になったとき、温水器１０８からの制御信号により制御回路部１１６は電磁弁１０９ｂを閉にする。温水器１０８は、夜間電力を利用して、貯湯タンク１０８ａの温水を所定温度に沸かして、貯湯する。
【０１２６】
貯湯タンク１０８ａのお湯を使用する場合、図２２に示すように、給湯システムは、温水器１０８の貯湯タンク１０８ａのお湯を、バス１２０及びキッチン１２２等に供給する。
【０１２７】
このような実施の形態１１に係る給湯システムでは、ＡＶ機器の排熱、特に大画面薄型テレビの表示モジュール２の排熱を利用して温水を得ることができる。貯水タンク１０２に温水を溜めるので、所定温度の温水を効率よく温水器１０８の貯湯タンク１０８ａに供給することができる。温水器１０８の貯湯タンク１０８ａでお湯を沸かすとき、温水から沸かすので、省電力になる。
【０１２８】
なお、実施の形態１１では、貯水タンク１０２内の温水が所定温度になった場合、貯湯タンク１０８ａに貯水タンク１０２の温水をくみ上げるようにしてもよい。そして、貯水タンク１０２に水を供給して満杯又は所定量にした後、水循環ポンプ１０４で水を熱交換器１０６に循環させるようにしてもよい。
また壁材内の温度、即ち冷却ジャケット２０の温度に対応して、温度センサ１０５ｃの検知信号に基づくＣＰＵ１１２の処理により、制御回路部１１６が循環ポンプ１００の駆動を制御するようにしてもよい。
【０１２９】
（実施の形態１２）
図２５は実施の形態１２に係る給湯システムの装置構成を示す模式図である。
実施の形態１２に係る給湯システムは、実施の形態１１の貯水タンク１０２を省いたものであり、その他の構成は実施の形態１１と同様である。
なお、実施の形態１１と同様の構成及び作用効果は適宜省略し、他の実施の形態においても同様である。
実施の形態１２では、本発明の壁材に組み込まれた、例えば表示モジュール２の排熱を利用して、水を温水にして、温水器１０８の貯湯タンク１０８ａに溜めている。貯湯タンク１０８ａには、水温センサ１０５ａと、水位検出器１０５ｄとが設けられている。
【０１３０】
このような実施の形態１２に係る給湯システムでは、先ず、大画面薄型テレビの電源スイッチ１０７をオンしたとき、表示モジュール２が駆動し、入出力回路部１１８から電源スイッチ１０７のオン信号が、ＣＰＵ１１２に入力する。ＣＰＵ１１２の処理により制御回路部１１６は、電源スイッチ１０７と連動して、電磁弁１０９ａを開にした後、循環ポンプ１００を駆動する。循環ポンプ１００の駆動により、熱媒体が、配管２３ａ、２３ｂを通じて冷却パイプジャケット５０の冷却パイプ５４から熱交換器１０６を経て循環する。
【０１３１】
次に、制御回路部１１６は、循環ポンプ１００を駆動後、電磁弁１０９ｃを開にして、配管１０１を通じて熱交換器１０６を経て、貯湯タンク１０８ａに水を供給する。
次いで、熱媒体は、冷却パイプ５４を循環して、冷却パイプジャケット５０と接触する表示モジュール２の熱を奪い、表示モジュール２を冷却する。
表示モジュール２の冷却が不十分の場合、温度センサ１０５ｃの検知信号に基づくＣＰＵの処理により、制御回路部１１６は、循環ポンプ１００の流量を上げるように制御する。
【０１３２】
そして、熱を奪った熱媒体は、熱交換器１０６で貯湯タンク１０８ａに供給する水に熱を授け、水が温水になる。温水は貯湯タンク１０８ａに溜まる。
【０１３３】
最後に、大画面薄型テレビの電源スイッチ１０７がオフになったとき、表示モジュール２が停止し、ＣＰＵ１１２の処理により制御回路部１１６は、電源スイッチ１０７のオフと連動して、電磁弁１０９ｂ、１０９ｃを閉にし、循環ポンプ１００を停止させる。
【０１３４】
このような実施の形態１２に係る給湯システムでは、ＡＶ機器の排熱、特に大画面薄型テレビの表示モジュール２の排熱を利用して温水を得ることができる。温水器１０８の貯湯タンク１０８ａでお湯を沸かすとき、温水から沸かすので、省電力になる。
【０１３５】
（実施の形態１３）
図２６は実施の形態１３に係る給湯システムの装置構成を示す模式図である。
実施の形態１３に係る給湯システムは、本発明の壁材に組み込まれた、例えば表示モジュール２の排熱を利用する。実施の形態１３では、壁材が実施の形態６に係る冷却パイプジャケット５０を内蔵している。熱媒体としては水を使用している。
実施の形態１３に係る給湯システムは、実施の形態１１と同様の制御部１１０を備えている。給湯システムは、水道から供給された水を溜める貯水タンク１０２と、配管２３ａを通じて貯水タンク１０２の水を冷却パイプジャケット５０の冷却パイプ５４に供給する循環ポンプ１００とを備える。
【０１３６】
冷却パイプ５４から流出する水は、配管２３ｂを通じて貯水タンク１０２の上部に戻り、配管１０３を通じて電磁弁１０９ｂを介し、温水器１０８の貯湯タンク１０８ａに供給されている。
貯水タンク１０２には、水位を検出する水位検出器１０５ｄが設けられている。貯水タンク１０２の水は電磁弁１０９ｃを介して水道から供給されている。
配管２３ａは電磁弁１０９ａを介して冷却パイプ５４に接続されている。
なお、実施の形態１３に係る給湯システムの制御部１１０は、実施の形態１１と同様の構成である。
【０１３７】
このような実施の形態１３に係る給湯システムでは、先ず、制御回路部１１６は、電磁弁１０９ｃを開にして、貯水タンク１０２に水を供給する。水位検出器１０５ｄの水位信号が入出力回路部１１８からＣＰＵ１１２に入力する。貯水タンク１０２が満杯又は所定量を維持するように、水位検出器１０５ｄの検出信号に基づくＣＰＵ１１２の処理により制御回路部１１６は、電磁弁１０９ｃを開閉する。
【０１３８】
次に、大画面薄型テレビの電源スイッチ１０７をオンしたとき、表示モジュール２が駆動し、入出力回路部１１８から電源スイッチ１０７のオン信号が、ＣＰＵ１１２に入力する。ＣＰＵ１１２の処理により制御回路部１１６は、電源スイッチ１０７と連動して、電磁弁１０９ａを開にした後、循環ポンプ１００を駆動する。循環ポンプ１００の駆動により、水が、配管２３ａを通じて冷却パイプジャケット５０の冷却パイプ５４に流入する。
冷却パイプ５４に流入した水は、発熱する表示モジュール２から受熱して温水になり、配管２３ｂを通じて冷却パイプ５４から流出して貯水タンク１０２の上部に戻り、配管１０３を通じて電磁弁１０９ｂを介し、温水器１０８の貯湯タンク１０８ａに溜まる。
ＣＰＵ１１２は、水位検出器１０５ｄの検知信号に基づいて電磁弁１０９ｂ、１０９ｃを開閉制御しており、貯水タンク１０２への流入量及び流出量を制御している。
【０１３９】
最後に、大画面薄型テレビの電源スイッチ１０７がオフになったとき、表示モジュール２が停止し、ＣＰＵ１１２の処理により制御回路部１１６は、電源スイッチ１０７のオフと連動して、循環ポンプ１００を停止させた後、電磁弁１０９ａ、１０９ｂ、１０９ｃを閉にする。
【０１４０】
このような実施の形態１３に係る給湯システムでは、ＡＶ機器の排熱、特に大画面薄型テレビの表示モジュール２の排熱を利用して温水を得ることができる。排熱を利用して貯湯タンク１０８ａに溜めた温水を沸かすので、省電力になる。
【０１４１】
（実施の形態１４）
図２７は実施の形態１４に係る給湯システムの装置構成を示す模式図である。
実施の形態１４に係る給湯システムでは、冷却パイプジャケット５０の冷却パイプ５４に電磁弁１０９ａを介して配管２３ａにより、水が供給されるようになっている。冷却パイプ５４から流出した水は、配管２３ｂにより電磁弁１０９ｂを介して温水器１０８の貯湯タンク１０８ａに供給されるようになっている。
【０１４２】
このような実施の形態１４に係る給湯システムでは、先ず、大画面薄型テレビの電源スイッチ１０７をオンしたとき、表示モジュール２が駆動し、入出力回路部１１８から電源スイッチ１０７のオン信号が、ＣＰＵ１１２に入力する。ＣＰＵ１１２の処理により制御回路部１１６は、電源スイッチ１０７と連動して、電磁弁１０９ａを開にする。電磁弁１０９ａが開になることにより、水が配管２３ａを通じて冷却パイプジャケット５０の冷却パイプ５４に流入する。冷却パイプ５４に流入した水は、発熱する表示モジュール２から受熱して温水になり、配管２３ｂを通じて冷却パイプ５４から流出し、温水器１０８の貯湯タンク１０８ａに溜まる。
【０１４３】
最後に、大画面薄型テレビの電源スイッチ１０７がオフになったとき、表示モジュール２が停止し、ＣＰＵ１１２の処理により制御回路部１１６は、電源スイッチ１０７のオフと連動して、電磁弁１０９ａを閉にした後、電磁弁１０９ｃを閉にする。
【０１４４】
このような実施の形態１４に係る給湯システムでは、ＡＶ機器の排熱、特に大画面薄型テレビの表示モジュール２の排熱を利用して温水を得ることができる。排熱を利用して貯湯タンク１０８ａに溜めた温水を沸かすので、省電力になる。
【図面の簡単な説明】
【０１４５】
【図１】実施の形態１に係る壁材を建築物の部屋の壁として複数組み立てた構成を示す斜視図である。
【図２】表示装置の表示モジュールを組み込んだ壁材を示す正面から視た斜視図である。
【図３】複数のＡＶ機器を組み込んだ壁材を示す正面から視た斜視図である。
【図４】スピーカシステムを組み込んだ壁材を示す正面から視た斜視図である。
【図５】壁材の窓部を壁紙で覆った状態を示す正面斜視図である。
【図６】実施の形態１に係る壁材に表示モジュールを組み込んだ壁一体型表示装置の正面方向から視た斜視図である。
【図７】壁材の柱体を示す斜視図である。
【図８】壁材の内部構造を示す背面方向から視た斜視図である。
【図９】実施の形態１に係る壁材に表示モジュールを組み込む状態を示す正面方向から視た斜視図である。
【図１０】実施の形態２に係る冷却ジャケットを備える壁材の内部構造を示す正面方向から視た斜視図である。
【図１１】実施の形態３に係る冷却ジャケット及び表示モジュールを示す正面方向から視た斜視図である。
【図１２】実施の形態４に係る冷却ジャケットを備える壁材の内部構造を示す背面方向から視た斜視図である。
【図１３】冷却ジャケットの保持部を示す正面方向から視た斜視図である。
【図１４】実施の形態５に係る冷却ジャケットを備える壁材の内部構造を示す背面方向から視た斜視図である。
【図１５】実施の形態６に係る冷却パイプジャケットを備える壁材の内部構造を示す背面方向から視た斜視図である。
【図１６】実施の形態７に係る冷却パイプジャケットを備える壁材の内部構造を示す背面方向から視た斜視図である。
【図１７】実施の形態８に係る冷却パイプジャケットを備える壁材の内部構造を示す背面方向から視た斜視図である。
【図１８】実施の形態９に係る冷却ジャケットを備える壁材の内部構造を示す背面方向から視た斜視図である。
【図１９】冷却ジャケット内に形成された流通迷路の詳細を示す斜視図である。
【図２０】実施の形態１０に係る冷却ジャケットを後壁部に備える壁材の内部構造を示す正面方向から視た斜視図である。
【図２１】実施の形態１１に係る給湯システムにおける壁材の構造を示す図１のＣ−Ｃ断面図である。
【図２２】家屋における給湯システムを示す斜視図である。
【図２３】給湯システムの装置構成を示す模式図である。
【図２４】給湯システムの制御部を示すブロック図である。
【図２５】実施の形態１２に係る給湯システムの装置構成を示す模式図である。
【図２６】実施の形態１３に係る給湯システムの装置構成を示す模式図である。
【図２７】実施の形態１４に係る給湯システムの装置構成を示す模式図である。
【符号の説明】
【０１４６】
２  表示モジュール
２ａ  表示画面
３ａ  テレビチューナ（ＡＶ機器）
３ｂ  ＤＶＤプレイヤ（ＡＶ機器）
３ｃ  端子ボックス（ＡＶ機器）
３ｄ  スピーカ（ＡＶ機器）
１０  前壁部
１１  窓部
１２  後壁部
１６  保持部
２０、３０、３２、３４、４０、７０  冷却ジャケット（冷却部）
２２ａ  流入孔
２２ｂ  流出孔
３３  凹部
４２、４３  くびれ
５０、６０、６２  冷却パイプジャケット（冷却部）
５２、６３  吸熱部
５４、６１、６４、６６  冷却パイプ（冷却部、蛇行管）
７２  流通迷路
１０２  貯水タンク
１０６  熱交換器
１０８  温水器
【図１】
2008208704.tif 000003
【図２】
2008208704.tif 000004
【図３】
2008208704.tif 000005
【図４】
2008208704.tif 000006
【図５】
2008208704.tif 000007
【図６】
2008208704.tif 000008
【図７】
2008208704.tif 000009
【図８】
2008208704.tif 000010
【図９】
2008208704.tif 000011
【図１０】
2008208704.tif 000012
【図１１】
2008208704.tif 000013
【図１２】
2008208704.tif 000014
【図１３】
2008208704.tif 000015
【図１４】
2008208704.tif 000016
【図１５】
2008208704.tif 000017
【図１６】
2008208704.tif 000018
【図１７】
2008208704.tif 000019
【図１８】
2008208704.tif 000020
【図１９】
2008208704.tif 000021
【図２０】
2008208704.tif 000022
【図２１】
2008208704.tif 000023
【図２２】
2008208704.tif 000024
【図２３】
2008208704.tif 000025
【図２４】
2008208704.tif 000026
【図２５】
2008208704.tif 000027
【図２６】
2008208704.tif 000028
【図２７】
2008208704.tif 000029